(57)【要約】【課題】インキタンクの外観的な面白みが増し、且つ、筆立て等に収容した状態でも２色のインキ色の識別が可能な両頭式筆記具を提供する。【解決手段】透明または半透明材料よりなる軸筒２の内部に隔壁３を一体に形成する。第１のインキタンク５Ａが軸筒２の一端より外部に開口し、第２のインキタンク５Ｂが軸筒２の他端より外部に開口する。第１のインキタンク５Ａの開口部に、第１のインキ保溜部材６Ａを設け、第１のインキ保溜部材６Ａの後方に第１のインキ貯溜部７Ａを設ける。第２のインキタンク５Ｂの開口部に、第２のインキ保溜部材６Ｂを設け、第２のインキ保溜部材６Ｂの後方に第２のインキ貯溜部７Ｂを設ける。第１のインキ貯溜部７Ａと第２のインキ貯溜部７Ｂとを隔壁３を介して径方向に重なり合うように設ける。第１のインキ貯溜部７Ａと第２のインキ貯溜部７Ｂとに互いに異なる色のインキ８Ａ、８Ｂを貯溜する。【選択図】  図１
2005199695.tif 000002
【特許請求の範囲】
【請求項１】
透明または半透明の材料よりなる軸筒の両端を開口させるとともに、前記軸筒の内部に、隔壁を一体に形成することにより、軸筒の一端より外部に開口する第１のインキタンクと、軸筒の他端より外部に開口する第２のインキタンクとを設け、前記第１のインキタンクと第２のインキタンクとを互いに連通しない構成とし、
前記第１のインキタンクの開口部に、第１のペン先と接続される第１のインキ保溜部材を設け、前記第１のインキ保溜部材の後方の第１のインキタンク内に第１のインキ貯溜部を設け、前記第１のインキ保溜部材が、前記第１のインキ貯溜部内の圧力上昇に応じた溢出インキを一時的に保持し、
前記第２のインキタンクの開口部に、第２のペン先と接続される第２のインキ保溜部材を設け、前記第２のインキ保溜部材の後方の第２のインキタンク内に第２のインキ貯溜部を設け、前記第２のインキ保溜部材が、前記第２のインキ貯溜部内の圧力上昇に応じた溢出インキを一時的に保持してなり、
前記第１のインキ貯溜部と前記第２のインキ貯溜部とを前記隔壁を介して径方向に重なり合うように設け、前記第１のインキ貯溜部と第２のインキ貯溜部とに互いに異なる色のインキを貯溜してなる両頭式筆記具。
【請求項２】
前記第１のペン先側の軸筒に着脱自在の第１のキャップを備えるとともに前記第２のペン先側の軸筒に着脱自在の第２のキャップを備え、前記第１のキャップ及び第２のキャップを透明または半透明の材料により構成し、前記第１のペン先を第１のインキ貯溜部内のインキと同色に着色するとともに前記第２のペン先を第２のインキ貯溜部内のインキと同色に着色し、
前記第１のキャップ及び第２のキャップを軸筒の両端に装着した際、前記第１のペン先及び第２のペン先を外部より視認可能に構成した請求項１記載の両頭式筆記具。
【請求項３】
前記第１のキャップが、第１のペン先側及び第２のペン先側のいずれにも装着可能であり、且つ、前記第２のキャップが、第１のペン先側及び第２のペン先側のいずれにも装着可能である請求項２記載の両頭式筆記具。
【請求項４】
第１のペン先または第２のペン先を下向きにした際、第１のインキ貯溜部内のインキと第２のインキ貯溜部内のインキとを左右に視認可能に構成した請求項１、２または３記載の両頭式筆記具。
【発明の詳細な説明】
【技術分野】
【０００１】
本発明は、軸筒の両端にペン先を備えた直液タイプの両頭式筆記具に関する。尚、本発明において、「前」とは、第１のインキタンクにおいて第１のペン先側を指し、第２のインキタンクにおいて第２のペン先側を指し、「後」とは、第１のインキタンクにおいて第１のインキ貯溜部側を指し、第２のインキタンクにおいて第２のインキ貯溜部側を指す。
【背景技術】
【０００２】
従来、この種の両頭式筆記具に関して、例えば特許文献１には、ペン先とペン先ホルダとインキタンクを固定した直液構造のペン先ユニットを筒軸両端側に着脱自在に取付けた筆記具が開示されている。さらに、前記特許文献１には、ペン先、カバー座、クリップ、色別バンドをインキタンクに入れるインキと同一色に着色させると共に、インキタンク、ペン先カバー、キャップを透明な合成樹脂形成品で形成することが開示されている。
【０００３】
【特許文献１】特開２００２−３６７８６号公報
【発明の開示】
【発明が解決しようとする課題】
【０００４】
前記特許文献１の筆記具は、二つのインキ収納部内の各々のインキが前後に別れて視認される。特に、前記特許文献１の筆記具は、インキ収納部内に空気が多く存在すると、いずれか一方のペン先を下向きにした場合、前記各々のインキの前後の距離が大きくなり、外観的な面白みが不足する。その上、前記特許文献１の筆記具は、筆立て等に収容陳列状態の場合、筆立て等の外部に突出する上側のペン先のインキ色は視認できるとしても、筆立て等の内部に収容された下側のペン先のインキ色が視認できず、ユーザーに不便を与えるおそれがある。
【０００５】
また、前記特許文献１の筆記具は、外部よりインキを識別させるために、インキと同一色に着色したクリップや色別バンド等の別部材（色表示部材）をキャップに取り付ける構造である。そのため、部品点数が増加し、製造コストが上昇する。その上、前記特許文献１の筆記具は、各々のキャップがインキ色を表示するように構成されているため、前記キャップは、そのインキ色と同一のペン先側のみに装着しなければならず、誤って前記キャップをそのインキ色と異なる反対側のペン先側に装着すると、却ってユーザーのインキ色の識別に混乱が生じてしまうおそれがある。
【０００６】
本発明は前記問題点を解決するものであって、インキタンクの外観的な面白みが増加するとともに、筆立て等に収容した状態でも２色のインキ色の識別が可能となり、また、インキ色を識別させるための構造を簡易にでき、しかも、キャップをいずれのペン先側に装着しても、インキ色の識別が容易となる両頭式筆記具を提供しようとするものである。
【課題を解決するための手段】
【０００７】
〔１〕本発明は、透明または半透明の材料よりなる軸筒２の両端を開口させるとともに、前記軸筒２の内部に、隔壁３を一体に形成することにより、軸筒２の一端より外部に開口する第１のインキタンク５Ａと、軸筒２の他端より外部に開口する第２のインキタンク５Ｂとを設け、前記第１のインキタンク５Ａと第２のインキタンク５Ｂとを互いに連通しない構成とし、前記第１のインキタンク５Ａの開口部に、第１のペン先４Ａと接続される第１のインキ保溜部材６Ａを設け、前記第１のインキ保溜部材６Ａの後方の第１のインキタンク５Ａ内に第１のインキ貯溜部７Ａを設け、前記第１のインキ保溜部材６Ａが、前記第１のインキ貯溜部７Ａ内の圧力上昇に応じた溢出インキを一時的に保持し、前記第２のインキタンク５Ｂの開口部に、第２のペン先４Ｂと接続される第２のインキ保溜部材６Ｂを設け、前記第２のインキ保溜部材６Ｂの後方の第２のインキタンク５Ｂ内に第２のインキ貯溜部７Ｂを設け、前記第２のインキ保溜部材６Ｂが、前記第２のインキ貯溜部７Ｂ内の圧力上昇に応じた溢出インキを一時的に保持してなり、前記第１のインキ貯溜部７Ａと前記第２のインキ貯溜部７Ｂとを前記隔壁３を介して径方向に重なり合うように設け、前記第１のインキ貯溜部７Ａと第２のインキ貯溜部７Ｂとに互いに異なる色のインキ８Ａ、８Ｂを貯溜してなる両頭式筆記具１（請求項１）を要件とする。
【０００８】
前記請求項１の両頭式筆記具１は、第１のインキ貯溜部７Ａと第２のインキ貯溜部７Ｂとを隔壁３を介して径方向に重なり合うように設けるとともに、第１のインキ貯溜部７Ａと第２のインキ貯溜部７Ｂとに互いに異なる色のインキを貯溜してなる構成により、インキ貯溜部内の２色のインキを近接して視覚でき、外観的な面白みが増加する。その上、前記請求項１の両頭式筆記具１は、筆立て等に収容陳列状態の場合でも、前記筆立て等の上方より露出する第１のインキ貯溜部７Ａと第２のインキ貯溜部７Ｂとを同時に視覚でき、２色の組合せ（即ち、２色のインキが何色と何色の組合せであるのか）を容易に視認することができる。尚、前記互いに異なる色のインキの組合せは、両方が互いに異なる有色インキである場合と、一方が有色インキであり且つ他方が無色インキ（無色の液体）である場合が挙げられる。
【０００９】
〔２〕前記請求項１の両頭式筆記具１において、前記第１のペン先４Ａ側の軸筒２に着脱自在の第１のキャップ９Ａを備えるとともに前記第２のペン先４Ｂ側の軸筒２に着脱自在の第２のキャップ９Ｂを備え、前記第１のキャップ９Ａ及び第２のキャップ９Ｂを透明または半透明の材料により構成し、前記第１のペン先４Ａを第１のインキ貯溜部７Ａ内のインキと同色に着色するとともに前記第２のペン先４Ｂを第２のインキ貯溜部７Ｂ内のインキと同色に着色し、前記第１のキャップ９Ａ及び第２のキャップ９Ｂを軸筒２の両端に装着した際、前記第１のペン先４Ａ及び第２のペン先４Ｂを外部より視認可能に構成したこと（請求項２）が好ましい。
【００１０】
前記請求項２の両頭式筆記具１は、第１のキャップ９Ａ及び第２のキャップ９Ｂに色表示部材を設ける必要がないため、構造が簡易となり、製造コストを抑えることができ、安価に提供できる。また、前記請求項１の第１インキ貯溜部と第２インキ貯溜部が隔壁３を介して径方向に重なり合う構造の場合、ペン先のインキ色の識別がインキ貯溜部を見ただけでは困難であるが、請求項２の第１のキャップ９Ａ及び第２のキャップ９Ｂを透明または半透明の材料により構成したことから、第１のキャップ９Ａ及び第２のキャップ９Ｂを装着した状態で第１のペン先４Ａ及び第２のペン先４Ｂのインキ色を容易に視認することができる。尚、前記ペン先をインキと同色に着色するとは、例えば、外部からインキ色が識別可能なように、ペン先にインキを含浸またはペン先外面にインキを付着させ外部より視認させる構成、ペン先外面にインキと略同色に着色する構成、またはペン先外面を保持するペン先ホルダーをインキと略同色に着色する構成等が挙げられる。
【００１１】
〔３〕前記請求項２の両頭式筆記具１において、前記第１のキャップ９Ａが、第１のペン先４Ａ側及び第２のペン先４Ｂ側のいずれにも装着可能であり、且つ、前記第２のキャップ９Ｂが、第１のペン先４Ａ側及び第２のペン先４Ｂ側のいずれにも装着可能であること（請求項３）が好ましい。
【００１２】
前記請求項３の両頭式筆記具１は、第１のキャップ９Ａ及び第２のキャップ９Ｂが、第１のペン先４Ａ側及び第２のペン先４Ｂ側のいずれのペン先側にも装着可能な構成（具体的には、前記第１のキャップ９Ａの嵌合部の形状と第２のキャップ９Ｂの嵌合部の形状が同一であり、且つ、第１のインキタンク５Ａの嵌合部の形状と第２のインキタンク５Ｂの嵌合部の形状が同一であること）により、第１のキャップ９Ａ及び第２のキャップ９Ｂをいずれのペン先側に装着しても、インキ色の識別に混乱が生じず、インキ色の識別が容易になるとともに、ユーザーが第１のキャップ９Ａと第２のキャップ９Ｂを区別してそれぞれのペン先に装着する手間が不要となる。
【００１３】
〔４〕前記請求項１、２または３の両頭式筆記具１において、第１のペン先４Ａまたは第２のペン先４Ｂを下向きにした際、第１のインキ貯溜部７Ａ内のインキ８Ａと第２のインキ貯溜部７Ｂ内のインキ８Ｂとを左右に視認可能に構成すること（請求項４）が好ましい。
【００１４】
第１のペン先４Ａまたは第２のペン先４Ｂを下向きにした際（即ち第１のペン先４Ａまたは第２のペン先４Ｂの一方を下向きにし他方を上向きにした場合）、上下に２色のインキが離間しがちであるが、前記請求項４の両頭式筆記具１は、十分な量のインキが充填され、第１のペン先４Ａまたは第２のペン先４Ｂを下向きにした場合でも、２色のインキを隔壁３を介して左右に（即ち径方向に）視認でき、より一層、２色のインキが径方向に重なり合う近接した状態での視認が確実となる。その結果、ユーザー購入時、筆立て等に収容陳列状態の場合でも、第１のインキ貯溜部７Ａと第２のインキ貯溜部７Ｂとを同時に視覚でき、外観的な面白みが維持されるとともに、より一層、２色の組合せを容易に視認することができる。
【発明の効果】
【００１５】
請求項１の両頭式筆記具は、インキ貯溜部内の２色のインキを近接して視覚でき、外観的な面白みが増加するとともに、筆立て等に収容陳列状態の場合でも、第１のインキ貯溜部と第２のインキ貯溜部とを同時に視覚でき、２色の組合せを容易に視認することができる。
【００１６】
請求項２の両頭式筆記具は、前記請求項１の効果に加えて、インキ色を識別するための構造を簡易にし、製造コストを抑えることができるとともに、キャップを装着した状態でペン先のインキ色を容易に視認することができる。
【００１７】
請求項３の両頭式筆記具は、前記請求項２の効果に加えて、第１のキャップ及び第２のキャップをいずれのペン先側に装着しても、インキ色の識別が容易になるとともに、ユーザーが第１のキャップと第２のキャップを区別してそれぞれのペン先に装着する手間が不要となる。
【００１８】
請求項４の両頭式筆記具は、筆立て等に収容陳列状態の場合でも、外観的な面白みが維持されるとともに、より一層、２色の組合せを容易に視認することができる。
【発明を実施するための最良の形態】
【００１９】
本発明を実施するための最良の形態を、以下、図面に従って説明する。
（第１の実施の形態）
図１乃至図５に本発明の第１の実施の形態を示す。
本実施の形態の両頭式筆記具１は、主に両端に第１のペン先４Ａ及び第２のペン先４Ｂを備えた軸筒２と、前記軸筒２の第１のペン先４Ａ側に装着可能な第１のキャップ９Ａと、前記軸筒２の第２のペン先４Ｂ側に装着可能な第２のキャップ９Ｂとからなる。
【００２０】
・軸筒
前記軸筒２は、両端が開口された円筒体であり、透明また半透明の合成樹脂（即ち、無色透明または非着色透明性の合成樹脂）の射出成形により得られる。前記軸筒２の内面には、隔壁３が形成される。前記隔壁３により、前記軸筒２の内部に、軸筒２の一端より開口する第１のインキタンク５Ａと、軸筒２の他端より開口する第２のインキタンク５Ｂとが形成される。前記隔壁３により、前記第１のインキタンク５Ａと第２のインキタンク５Ｂとの間は、連通せず、互いにインキが流通しないように遮断される。前記透明また半透明の合成樹脂は、例えば、ポリプロピレンが挙げられる。
【００２１】
・隔壁
前記隔壁３は、軸方向に延設された構成（即ち、少なくとも、軸線と平行に延びる構成または軸線に対して傾斜した構成）よりなる。即ち、隔壁３の一端が、第１のインキ保溜部材６Ａ近傍の軸筒２側壁内面に接続され、且つ、隔壁３の他端が、第２のインキ保溜部材６Ｂ近傍の軸筒２側壁内面に接続される。前記隔壁３は、本実施の形態では、軸線と略平行に延びる中央壁部３１と、該中央壁部３１の両端より延設される軸線に対して傾斜した傾斜壁部３２及び傾斜壁部３３とからなる。前記傾斜壁部３２は、第１のインキ保溜部材６Ａ近傍の軸筒２側壁内面に一体に連結され、前記傾斜壁部３３は、第２のインキ保溜部材６Ｂ近傍の軸筒２側壁内面に一体に連結される。前記隔壁３により、第１のインキ貯溜部７Ａと第２のインキ貯溜部７Ｂとが、隔壁３を介して径方向に重なり合う２層の重層状態に設けられる。
【００２２】
・インキタンク
前記第１のインキタンク５Ａは、前方に開口する横断面円形状の大径部５１Ａと、該大径部５１Ａより後方に連設される横断面半円形状の小径部５２Ａとからなる。前記第１のインキタンク５Ａの大径部５１Ａには、第１のインキ保溜部材６Ａが嵌入される。前記第１のインキ保溜部材６Ａの後方の第１のインキタンク５Ａ内（即ち第１のインキ保溜部材６Ａの後方の大径部５１Ａと小径部５２Ａとからなる空間）には、第１のインキ貯溜部７Ａが形成される。
【００２３】
同様に、前記第２のインキタンク５Ｂも、前方に開口する横断面円形状の大径部５１Ｂと、該大径部５１Ｂより後方に連設される横断面半円形状の小径部５２Ｂとからなる。前記第２のインキタンク５Ｂの大径部５１Ｂには、第２のインキ保溜部材６Ｂが嵌入される。前記第２のインキ保溜部材６Ｂの後方の第２のインキタンク５Ｂ内（即ち第２のインキ保溜部材６Ｂの後方の大径部５１Ｂと小径部５２Ｂとからなる空間）には、第２のインキ貯溜部７Ｂが形成される。
【００２４】
前記第１のインキタンク５Ａの小径部５２Ａと第２のインキタンク５Ｂの小径部５２Ｂは隔壁３を介して径方向に重なり合う２層の重層状態となる。前記第１のインキタンク５Ａの小径部５２Ａと第２のインキタンク５Ｂの小径部５２Ｂとの重層部分の外径は、前記第１のインキタンク５Ａの大径部５１Ａの外径及び第２のインキタンク５Ｂの大径部５１Ｂと、略同一外径に設定される。
【００２５】
・インキ保溜部材
前記第１のインキ保溜部材６Ａは、第１のインキ貯溜部７Ａ内の圧力上昇に応じた溢出インキを一時的に保持する部材であり、本実施の形態では、複数の円板状櫛歯を備えた合成樹脂（例えばＡＢＳ樹脂）の射出成形体である。前記第１のインキ保溜部材６Ａの前端には、第１のペン先４Ａが取り付けられる。前記第１のインキ保溜部材６Ａの軸心には軸心孔が貫設され、前記軸心孔にインキ誘導芯６１Ａが挿着される。前記インキ誘導芯６１Ａの前端は第１のペン先４Ａに接続され、前記インキ誘導芯６１Ａの後端は第１のインキ貯溜部７Ａに接続される。前記インキ誘導芯６１Ａは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００２６】
同様に、前記第２のインキ保溜部材６Ｂも、第２のインキ貯溜部７Ｂ内の圧力上昇に応じた溢出インキを一時的に保持する部材であり、本実施の形態では、複数の円板状櫛歯を備えた合成樹脂（例えばＡＢＳ樹脂）の射出成形体である。前記第２のインキ保溜部材６Ｂの前端には、第２のペン先４Ｂが取り付けられる。前記第２のインキ保溜部材６Ｂの軸心には軸心孔が貫設され、前記軸心孔にインキ誘導芯６１Ｂが挿着される。前記インキ誘導芯６１Ｂの前端は第２のペン先４Ｂに接続され、前記インキ誘導芯６１Ｂの後端は第２のインキ貯溜部７Ｂに接続される。前記インキ誘導芯６１Ｂは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００２７】
第１のインキ保溜部材６Ａは、第１のインキ貯溜部７Ａ内の第１のインキ８Ａと略同色に着色されている。即ち、第１のインキ保溜部材６Ａは、第１のインキ貯溜部７Ａ内の第１のインキ８Ａと略同色の合成樹脂材料により成形される。第２のインキ保溜部材６Ｂは、第２のインキ貯溜部７Ｂ内の第２のインキ８Ｂと略同色に着色されている。即ち、第２のインキ保溜部材６Ｂは、第２のインキ貯溜部７Ｂ内の第２のインキ８Ｂと略同色の合成樹脂材料により成形される。軸筒２が透明または半透明の材料よりなることから、軸筒２の外部より第１のインキ保溜部材６Ａ及び第２のインキ保溜部材６Ｂの着色されたインキ色を視認できる。
【００２８】
・インキ
前記第１のインキ貯溜部７Ａ内には、第１のインキ８Ａが貯溜され、第２のインキ貯溜部７Ｂには、第２のインキ８Ｂが貯溜される。前記第１のインキ８Ａと第２のインキ８Ｂとは、互いに色が異なる組合せが採用される。前記第１のインキ貯溜部７Ａ内の第１のインキ８Ａ及び第２のインキ貯溜部７Ｂ内の第２のインキ８Ｂは、軸筒２が透明または半透明の材料よりなることから、外部より視認可能である。本実施の形態では、第１のインキ８Ａ及び第２のインキ８Ｂは、蛍光顔料または蛍光染料を含むインキが採用される。それにより、発色の優れた、見栄えのよい両頭式筆記具１が得られる。前記第１のインキ８Ａと第２のインキ８Ｂの色の組合せは、例えば、蛍光イエローと蛍光ピンクの組合せ、蛍光イエローと蛍光オレンジの組合せ、蛍光イエローと蛍光グリーンの組合せ、蛍光ピンクと蛍光オレンジの組合せ、蛍光ピンクと蛍光グリーンの組合せ、蛍光イエローと蛍光ブルーの組合せ、または蛍光イエローと蛍光バイオレットの組合せ等が、配色の見栄えが良い点から好ましい。
【００２９】
前記第１のインキ８Ａ及び第２のインキ８Ｂは、隔壁３を介して径方向の２層の重層状態で視認される。第１のインキ貯溜部７Ａ及び第２のインキ貯溜部７Ｂには、第１のペン先４Ａまたは第２のペン先４Ｂのいずれのペン先を下向きにしても、第１のインキタンク５Ａの小径部５２Ａ及び第２のインキタンク５Ｂの小径部５２Ｂに常時インキが存在するよう第１のインキ８Ａ及び第２のインキ８Ｂの充填量が設定される。それにより、第１のペン先４Ａまたは第２のペン先４Ｂを下向きにした際、第１のインキ８Ａと第２のインキ８Ｂとを、隔壁３を介して左右（即ち径方向）に２層の重層状態で確実に視認可能となる。
【００３０】
尚、前記重層部分を構成する隔壁３の軸方向の長さは、２色の視認が容易である点で、第１のインキ保溜部材６Ａの後端と第２のインキ保溜部材６Ｂの後端との間の軸方向の長さの少なくとも２０％以上（好ましくは５０％以上、更に好ましくは７０％以上）に設定することが好ましい。また、いずれか一方のペン先が下向き状態における第１のインキ８Ａと第２のインキ８Ｂとの重層部分の軸方向の長さも、２色の視認が容易である点で、第１のインキ保溜部材６Ａの後端と第２のインキ保溜部材６Ｂの後端との間の軸方向の長さの少なくとも２０％以上に設定するよう、第１のインキ８Ａ及び第２のインキ８Ｂの充填量を設定することが好ましい。
【００３１】
・ペン先
前記第１のペン先４Ａは、繊維加工体、毛筆体、または多孔質体よりなり、第１のインキ貯溜部７Ａ内の第１のインキ８Ａが含浸されることにより、外部より第１のインキ８Ａの色が視認され、第１のペン先４Ａが第１のインキ８Ａの色に着色された状態となる。同様に、前記第２のペン先４Ｂも、繊維加工体、毛筆体、または多孔質体であり、第２のインキ貯溜部７Ｂ内の第２のインキ８Ｂが含浸されることにより、外部より第２のインキ８Ｂの色が視認され、第２のペン先４Ｂが第２のインキ８Ｂの色に着色された状態となる。本実施の形態では、第１のペン先４Ａ及び第２のペン先４Ｂは、同一形状の、繊維の樹脂加工体（例えばポリエステル繊維の樹脂加工体）よりなる。
【００３２】
前記以外にも、前記第１のペン先４Ａ及び第２のペン先４Ｂは、例えば、両者の形状が異なる繊維加工体の組合せ、両者がボールペンチップの組合せ、両者が毛筆体の組合せ、両者が多孔質体の組合せ、両者が先端にスリットを備えた金属板製の万年筆状ペン先の組合せ、両者が合成樹脂の押出成形体よりなるペン体（プラスチックペン体）の組合せ、一方が繊維加工体で他方が多孔質体の組合せ、一方が繊維加工体で他方がプラスチックペン体の組合せ、一方が繊維加工体で他方が毛筆体の組合せ、一方が繊維加工体で他方が万年筆状ペン先の組合せ、一方が繊維加工体で他方がボールペンチップの組合せ、一方が多孔質体で他方がプラスチックペン体の組合せ、一方が多孔質体で他方が毛筆体の組合せ、一方が多孔質体で他方が万年筆状ペン先の組合せ、一方が多孔質体で他方がボールペンチップの組合せ、一方がプラスチックペン体で他方が毛筆体の組合せ、一方がプラスチックペン体で他方が万年筆状ペン先の組合せ、一方がプラスチックペン体で他方がボールペンチップの組合せ、一方が毛筆体で他方が万年筆状ペン先の組合せ、一方が毛筆体で他方がボールペンチップの組合せ、または、一方が万年筆状ペン先で他方がボールペンチップの組合せ等が挙げられる。前記ボールペンチップの場合、その外面が第１のインキ貯溜部７Ａ及び第２のインキ貯溜部７Ｂ内のインキと同色に着色されることが好ましい。尚、本発明のペン先とは、ペン先と軸筒２との間に介在されるペン先ホルダーを含む。
【００３３】
・キャップ装着構造（図４及び図５参照）
図４に示すように、前記第１のインキタンク５Ａの大径部５１Ａの前端部は、その外周面に外向突起５１１Ａが形成され、且つ、その内周面に環状気密部５１２Ａが形成される。図５に示すように、同様に、前記第２のインキタンク５Ｂの大径部５１Ｂの前端部は、その外周面に外向突起５１１Ｂが形成され、且つ、その内周面に環状気密部５１２Ｂが形成される。
【００３４】
第１のキャップ９Ａは、一端が閉鎖され他端が開口された有底筒状体であり、透明または半透明の合成樹脂（即ち、無色透明または非着色透明性の合成樹脂）の射出成形により得られる。前記第１のキャップ９Ａの内面には、前記第１のインキタンク５Ａの外向突起５１１Ａ及び前記第２のインキタンク５Ｂの外向突起５１１Ｂと乗り越え係合可能な内向突起９１Ａと、第１のインキタンク５Ａの環状気密部５１２Ａ及び第２のインキタンク５Ｂの環状気密部５１２Ｂと密接可能な環状シール部９２Ａとが一体に形成される。前記透明または半透明の合成樹脂は、例えば、ポリプロピレンが挙げられる。
【００３５】
同様に、第２のキャップ９Ｂも、一端が閉鎖され他端が開口され有底筒状体であり、透明または半透明の合成樹脂（即ち、無色透明または非着色透明性の合成樹脂）の射出成形により得られる。前記第２のキャップ９Ｂの内面には、前記第１のインキタンク５Ａの外向突起５１１Ａ及び前記第２のインキタンク５Ｂの外向突起５１１Ｂと乗り越え係合可能な内向突起９１Ｂと、第１のインキタンク５Ａの環状気密部５１２Ａ及び第２のインキタンク５Ｂの環状気密部５１２Ｂと密接可能な第２の環状シール部９２Ｂとが一体に形成される。前記透明または半透明の合成樹脂は、例えば、ポリプロピレンが挙げられる。
【００３６】
即ち、前記第１のキャップ９Ａの嵌合部（即ち内向突起９１Ａ及び環状シール部９２Ａ）の形状と第２のキャップ９Ｂの嵌合部（即ち内向突起９１Ｂ及び環状シール部９２Ｂ）の形状が同一であるとともに、第１のインキタンク５Ａの嵌合部（即ち外向突起５１１Ａ及び環状気密部５１２Ａ）の形状と第２のインキタンク５Ｂの嵌合部（即ち外向突起５１１Ｂ及び環状気密部５１２Ｂ）の形状が同一である。それにより、第１のキャップ９Ａは、第１のペン先４Ａを備えた第１のインキタンク５Ａ及び第２のペン先４Ｂを備えた第２のインキタンク５Ｂのいずれにも装着可能であり、第２のキャップ９Ｂは、第１のペン先４Ａを備えた第１のインキタンク５Ａ及び第２のペン先４Ｂを備えた第２のインキタンク５Ｂに装着可能である。つまり、前記第１のキャップ９Ａは、第１のペン先４Ａ側及び第２のペン先４Ｂ側の軸筒２のいずれにも装着可能であり、且つ、前記第２のキャップ９Ｂは、第１のペン先４Ａ側及び第２のペン先４Ｂ側の軸筒２のいずれにも装着可能である。
【００３７】
本実施の形態の第１のキャップ９Ａ及び第２のキャップ９Ｂは、それ単体で、透明性を有し、インキ色表示機能を備えない構成のため、第１のペン先４Ａ及び第２のペン先４Ｂのいずれのペン先側に装着しても、インキ色の識別の混乱を生じさせず、インキ色の識別が容易になるとともに、ユーザーが第１のキャップ９Ａと第２のキャップ９Ｂを区別してそれぞれのペン先に装着する手間が不要となる。また、本実施の形態では、前記第１のキャップ９Ａの外面にはクリップ９３Ａが一体に形成され、一方、第２のキャップ９Ｂの外面にはクリップ９３Ａが形成されていない。前記クリップ９３Ａを備える第１のキャップ９Ａを第１のペン先４Ａ及び第２のペン先４Ｂのいずれのペン先に装着してもよく、それをユーザーが選択することができる。
【００３８】
本実施の形態は、前記軸方向に延設された隔壁３（即ち中央壁部３１とその両側の二つの傾斜壁部３２、３３とからなる隔壁）を、第１のインキ保溜部材６Ａの後端と第２のインキ保溜部材６Ｂの後端との間の軸方向の中央位置に配置させている。それにより、第１のインキ貯溜部７Ａの容量と第２のインキ貯溜部７Ｂの容量とが等しく設定される。本発明は、これ以外にも、以下の第２の実施の形態及び第３の実施の形態のように、第１のインキ貯溜部７Ａと第２のインキ貯溜部７Ｂの容量を異なるものにしてもよい。
【００３９】
（第２の実施の形態）
図６に本発明の第２の実施の形態を示す。
本実施の形態は、第１の実施の形態と隔壁３の位置が異なる。
即ち、本実施の形態は、隔壁３の第１のペン先４Ａ側の接続端部と第１のインキ保溜部材６Ａの後端との距離Ｌ１が、隔壁３の第２のペン先４Ｂ側の接続端部と第２のインキ保溜部材６Ｂの後端との距離Ｌ２よりも大きく設定される。それにより、第１のインキ貯溜部７Ａの容量が、第２のインキ貯溜部７Ｂの容量よりも大きく設定される。
【００４０】
本実施の形態は、第１のインキ貯溜部７Ａに、第２のインキ貯溜部７Ｂ内のインキよりもユーザーの使用頻度の高いインキ（即ち消費速度の速いインキ）を充填する。それにより、ユーザーが、一方のインキ貯溜部にインキを残したまま、他方のインキ貯溜部のインキを使い尽くすことを防ぎ、長期にわたり使用することができる両頭式筆記具を得る。本実施の形態では、第１のインキ８Ａ及び第２のインキ８Ｂは蛍光顔料または蛍光染料を含むインキが採用される。前記蛍光顔料または蛍光染料を含むインキの中で、一般に、蛍光イエローが使用頻度が高く、インキ消費速度を速いと考えられる。そのため、本実施の形態では、具体的には、第１のインキ８Ａとして、蛍光イエローが採用され、第２のインキ８Ｂとして、蛍光ピンク、蛍光オレンジ、蛍光グリーン、蛍光ブルーまたは蛍光バイオレットのいずれか一つが採用される。
【００４１】
第２のインキ貯溜部７Ｂの容量に対する第１のインキ貯溜部７Ａの容量の比（第２のインキ貯溜部７Ｂの容量／第１のインキ貯溜部７Ａの容量）は、０．３〜０．８（好ましくは０．４〜０．７）が有効である。前記比が０．３より小さい場合、隔壁３の軸方向の長さを十分に設定できず、第１のインキ貯溜部７Ａと第２のインキ貯溜部７Ｂとが、隔壁３を介して径方向に重なり合う２層の重層状態を十分に設定することが困難となる。一方、前記比が０．８より大きい場合、第１のインキ貯留部７Ａと第２のインキ貯溜部７Ｂとの容量の違いが殆どなくなってしまう。尚、本実施の形態の他の構成は、第１の実施の形態と同様であるため、説明を省略する。
【００４２】
（第３の実施の形態）
図７及び図８に本発明の第３の実施の形態を示す。
本実施の形態も、第２の実施の形態と同様、第１の実施の形態と隔壁３の位置が異なる。即ち、第１の実施の形態では中央壁部３１が軸筒２の軸心に位置しているのに対し、本実施の形態は、中央壁部３１が軸心から径方向に外れた位置にあり、第１のインキ貯溜部７Ａの底壁を構成する傾斜壁部３３が、第２のインキ貯溜部７Ｂの底壁を構成する傾斜壁部３２よりも大きく設定される。それにより、第１のインキ貯溜部７Ａの容量（即ち小径部５２Ａの容量）が、第２のインキ貯溜部７Ｂの容量（即ち小径部５２Ｂの容量）よりも大きく設定される。
【００４３】
前記第２の実施の形態と同様、本実施の形態では、第１のインキ貯溜部７Ａに、第２のインキ貯溜部７Ｂ内のインキよりもユーザーの使用頻度の高いインキ（即ち消費速度の速いインキ）を充填する。それにより、ユーザーが、一方のインキ貯溜部にインキを残したまま、他方のインキ貯溜部のインキを使い尽くすことを防ぎ、長期にわたり使用することができる両頭式筆記具を得る。本実施の形態では、第１のインキ８Ａ及び第２のインキ８Ｂは蛍光顔料または蛍光染料を含むインキが採用される。前記蛍光顔料または蛍光染料を含むインキの中で、一般に、蛍光イエローが使用頻度が高く、インキ消費速度を速いと考えられる。そのため、本実施の形態では、具体的には、第１のインキ８Ａとして、蛍光イエローが採用され、第２のインキ８Ｂとして、蛍光ピンク、蛍光オレンジ、蛍光グリーン、蛍光ブルーまたは蛍光バイオレットのいずれか一つが採用される。
【００４４】
第２のインキ貯溜部７Ｂの容量に対する第１のインキ貯溜部７Ａの容量の比（第２のインキ貯溜部７Ｂの容量／第１のインキ貯溜部７Ａの容量）は、０．３〜０．８（好ましくは０．４〜０．７）が有効である。前記比が０．３より小さい場合、第２のインキタンク５Ｂの小径部５２Ｂの内面を成形する金型のコアピンが細くなり、小径部５２Ｂの成形が困難になる。一方、前記比が０．８より大きい場合、第１のインキ貯留部７Ａと第２のインキ貯溜部７Ｂとの容量の違いが殆どなくなってしまう。尚、本実施の形態の他の構成は、第１の実施の形態と同様であるため、説明を省略する。
【図面の簡単な説明】
【００４５】
【図１】本発明の両頭式筆記具の第１の実施の形態を示す外観図である。
【図２】図１の縦断面図である。
【図３】図１のＡ−Ａ線拡大断面図である。
【図４】図２の第１のペン先側の拡大縦断面図である。
【図５】図２の第２のペン先側の拡大縦断面図である。
【図６】本発明の両頭式筆記具の第２の実施の形態を示す縦断面図である。
【図７】本発明の両頭式筆記具の第３の実施の形態を示す縦断面図である。
【図８】図７のＢ−Ｂ線拡大断面図である。
【符号の説明】
【００４６】
１  両頭式筆記具
２  軸筒
３  隔壁
３１  中央壁部
３２  傾斜壁部
３３  傾斜壁部
４Ａ  第１のペン先
５Ａ  第１のインキタンク
５１Ａ  大径部
５１１Ａ  外向突起
５１２Ａ  環状気密部
５２Ａ  小径部
６Ａ  第１のインキ保溜部材
６１Ａ  インキ誘導芯
７Ａ  第１のインキ貯溜部
８Ａ  第１のインキ
９Ａ  第１のキャップ
９１Ａ  内向突起
９２Ａ  環状シール部
９３Ａ  クリップ
４Ｂ  第２のペン先
５Ｂ  第２のインキタンク
５１Ｂ  大径部
５１１Ｂ  外向突起
５１２Ｂ  環状気密部
５２Ｂ  小径部
６Ｂ  第２のインキ保溜部材
６１Ｂ  インキ誘導芯
７Ｂ  第２のインキ貯溜部
８Ｂ  第２のインキ
９Ｂ  第２のキャップ
９１Ｂ  内向突起
９２Ｂ  環状シール部
Ｌ１  隔壁の第１のペン先側の接続端部と第１のインキ保溜部材後端との距離
Ｌ２  隔壁の第２のペン先側の接続端部と第２のインキ保溜部材後端との距離
【図１】
2005199695.tif 000003
【図２】
2005199695.tif 000004
【図３】
2005199695.tif 000005
【図４】
2005199695.tif 000006
【図５】
2005199695.tif 000007
【図６】
2005199695.tif 000008
【図７】
2005199695.tif 000009
【図８】
2005199695.tif 000010